(57)【特許請求の範囲】
【請求項１】
分析試料を収納する試験管を回転可能に備え、試料温度をガスで調節する手段を備えたＮＭＲ分析装置の試料管理装置であって、
試験管ガイドパイプ内に非磁性材のステータ部、ロータ部、圧電素子、押さえ板で構成される超音波モータを設置し、ステータ部、圧電素子、押さえ板を試験管ガイドパイプに固定し、ステータ部と押さえ板の間に回転可能に取り付けられた前記超音波モータのロータ部に前記試験管を挿入し、前記試験管ガイドパイプの下側に配置されたＲＦ透過パイプに前記試験管に入れられた分析試料が位置するようになし、該ＲＦ透過パイプの外周側に分析試料からのＲＦ信号を受信するプローブコイルを配置すると共に、前記超音波モータへの給電により線を用いることを特徴とするＮＭＲ分析装置の試料管理装置。
【請求項２】
請求項１において、
前記超音波モータのロータに長尺の回転パイプを設置し、前記回転パイプの内側に前記試験管を挿入して一体化したことを特徴とするＮＭＲ分析装置の試料管理装置。
【請求項３】
請求項２において、
前記試験管と一体化した超音波モータを前記試験管ガイドパイプと着脱可能な構成としていることを特徴とするＮＭＲ分析装置の試料管理装置。
【請求項４】
請求項１において、
前記ＲＦ透過パイプの下部から流す温調ガスの温度を制御して、試験管内の分析試料の温度制御をするＮＭＲ分析装置の試料管理装置。
【請求項５】
請求項１において、
前記試験管の上部側から流す温調ガスの温度を制御して、試料の温度制御をするＮＭＲ分析装置の試料管理装置。
【請求項６】
ＮＭＲ分析装置の静磁場を印加するマグネットの中央部にＮＭＲ分析装置の試料管理装置を配置し、温調ガスで試料温度を制御するように構成したＮＭＲ分析装置において、
試験管ガイドパイプ内に非磁性材のステータ部、ロータ部、圧電素子、押さえ板で構成される超音波モータを設置し、ステータ部、圧電素子、押さえ板を試験管ガイドパイプに固定し、ステータ部と押さえ板の間に回転可能に取り付けられた前記超音波モータのロータ部に前記試験管を挿入し、前記試験管ガイドパイプの下側に配置されたＲＦ透過パイプに前記試験管に入れられた分析試料が位置するようになし、該ＲＦ透過パイプの外周側に分析試料からのＲＦ信号を受信するプローブコイルを配置すると共に、前記超音波モータへの給電により線を用いることを特徴とするＮＭＲ分析装置
【発明の詳細な説明】
【技術分野】
【０００１】
本発明は、高分解能ＮＭＲ（核磁気共鳴）分析装置に係り、特に試料の回転を含む試料管理機構に関する。
【背景技術】
【０００２】
一般に、ＮＭＲ超電導プローブは２５Ｋ以下に、試験管は３００Ｋ程度に維持されるので、超電導プローブと分析試料を収納した試験管の温度差は２７０Ｋ程度となり、試料の熱が超電導プローブ側に奪われる。試験管の温度を必要な温度に制御するために、試験管周囲に加熱用の温調ガスを試験管の下方から流しているが、超電導プローブ側に熱を奪われるため、ガスの温度は試料中央部で低くなる。このため、試験管中の試料温度も中央部で低くなり、試料中に温度勾配が生じる。
【０００３】
ここで使用している超電導プローブは高周波のＲＦ波の照射と受信の両方の機能を有している。超電導プローブは試料から放出されるＲＦ波を捉えて、分析担当者はＲＦ信号の周波数から試料に含まれる成分に関する知見を得ることができる。ここで、試料から放出されるＲＦ信号の周波数は、試料温度により変化する。このため、試料温度が均一でないと、試料が同一成分でも複数の周波数が現れ、複数成分の混在が疑われるなど、正確な試料分析に支障をきたすことになる。言い換えれば、同一試料でも受信ＲＦ周波数は温度勾配に応じた幅が存在することになり、いわゆる周波数分解能の低下を招くことになっている。
【０００４】
超電導プローブを用いるＮＭＲ分析装置の試料温度制御に関する従来例として、特許文献１に記載の「試料の均一な温度制御を備えた冷却ＮＭＲプローブヘッド」がある。ここでは、試験管と温調ガス流路を包囲して存在する内部パイプ（後述する本発明の実施例中のＲＦ透過パイプに相当する）にヒータを巻き、試料から超電導プローブ側に奪われる熱をヒータで補償する方式で温度勾配を抑制しようとしている。
【０００５】
【特許文献１】特開２００１−２４２２２９号公報
【発明の開示】
【発明が解決しようとする課題】
【０００６】
特許文献１で使用するヒータコイルは導電性であり、ＲＦ信号の透過を妨げるため、超電導プローブの感度劣化の原因となる。このため、ヒータコイルの占める面積を小さくすること等で、９５％以上のＲＦ透過率を有するよう配慮しているとしている。
【０００７】
しかし、数％程度のＲＦ透過率の減少によるＲＦ信号受信感度の低下は避けられない。また、ＲＦ透過率を高めるためにはヒータ面積を狭める必要が有り、結果的にヒータ表面温度が上がることになり、試料温度上昇に寄与しない輻射量が増えることになる。これにより、極低温側ではヒータコイルの熱を吸収するために冷却能力を高める必要がある。また、コイルへの供給電源ラインが最も静磁場安定度が要求される領域を引き回す必要があるため、電源ラインのわずかの位置ずれが静磁場を乱す可能性もある。
【０００８】
本発明の目的は、上記従来技術の問題点を克服し、試験管軸方向の温度勾配を低減した温度制御を実現し、静磁場および超電導プローブ感度を損なわない試料管理装置と、それを用いたＮＭＲ分析装置を提供することにある。
【課題を解決するための手段】
【０００９】
上記目的を達成するための本発明は、分析試料を収納する試験管を回転可能に備え、試料温度をガスで調節する手段を備えたＮＭＲ分析装置の試料管理装置において、分析試料を収納する試験管を非磁性材超音波モータのロータ部に設置したことを特徴とする。
【００１０】
すなわち、本発明は温調ガスの流量を従来以上に増やす方式をとる。本発明者の実験的知見によれば、温調ガス流量の増加が温度勾配抑制にとって有効である。ガス流量を増やすことでガス層の単位長さあたりの熱容量が増加するため、低温超電導プローブ側に熱が奪われても温度変化そのものは小さくでき、結果的に試料の温度勾配も小さくなる。但し、試験管下部からのガス流量を増加させると、試験管に加わる浮上力が増加し、試験管位置と試料を回転させるためのガスノズル位置との相対位置がずれて回転が不安定になり、回転停止などの不具合が生じる。そこで、本発明はガスによる浮上力によらず、超音波モータによる回転力を利用する。
【発明の効果】
【００１１】
本発明によれば、試験管回転機構が超音波モータを駆動力として実現することで、温調ガス流量を増大でき、試料中の温度勾配を小さくすることを可能にし、超電導プローブの感度を損なわずにＮＭＲ分析の分解能を向上する効果がある。
【発明を実施するための最良の形態】
【００１２】
本発明の望ましい実施形態は以下の構成からなる。
（１）ガス流量を増やしても回転が安定に維持できる機構を採用する。具体的には、回転機構に超音波モータを導入し、試験管を回す。これにより複雑で精密なガス流路の確保が不用となる利点もある。
（２）試料の出し入れが簡便に実施できるように、超音波モータのロータに長尺の回転パイプを接合し、その中心に分析試料を入れた試験管を配置して一体化し、超音波モータごと分析位置に落としこむ方式とする。これにより、予め芯決めされた回転パイプと試験管が一体化して回転できるので、試験管のブレない回転機構が得られる。超音波モータのステータは試験管ガイドパイプの溝で固定する。
（３）試料の出し入れを確実に実施できるように、分析試料をセットした超音波モータをロープにより吊り上げ、吊り下げられる構成としている。
【００１３】
以下、図面を参照して、本発明の複数の実施の形態を詳細に説明する。なお、各図を通して同一の符合は同じ構成要素を示す。
【実施例１】
【００１４】
図１は、本発明の実施例１によるＮＭＲ分析装置の試料管理装置の構成図である。試験管ガイドパイプ１０１、ＲＦ透過パイプ１０２、温調ガスパイプ１１３の内部構造を詳細に示している。
【００１５】
本実施例による試料管理装置は、分析試料９を収納した試験管１の回転と、試験管１の試料温度を制御する機能を有する。試験管１は超音波モータ２００の内部に挿入されている。超音波モータ２００は、下部ステータディスク２０１、圧電素子２０３、上部ステータディスク２０２、ロータディスク２０４、ベアリング２０５、押さえ板２０６、モータ側ガイド２０７、回転パイプ２１０からなる。回転パイプ２１０は上部Ｏリング２０８と下部Ｏリング２０９で試験管１を保持する構造としていて、試験管１の位置決めを容易にすると共に、ブレのない安定な回転を維持する。
【００１６】
試験管１を保持した超音波モータ２００は、試験管ガイドパイプ１０１の内部に配置される。試験管ガイドパイプ１０１の下側には、ＲＦ透過パイプ１０２が配置され、その外周には超電導プローブコイル１０３が設置されている。ＲＦ透過パイプ１０２の下方から温調ガスパイプ１１３を経て入口温調ガス１０４が入り、ＲＦ透過パイプ１０２の上端付近から出口温調ガス１０５となって排出する。
【００１７】
超電導プローブコイル１０３は超電導確保のため図示しない冷却装置で極低温に維持され、分析試料９は所定の温度に制御される。例えば、試料９がたんぱく質で生体内の特性に注目するのであれば、生体温度に近い温度に制御することが多い。プローブコイル１０３と試料９の間の距離は離れていても数ｃｍ程度であり、試料９とプローブコイル１０３には２７０Ｋ程度の大きな温度差が存在する。
【００１８】
なお、試験管ガイドパイプ１０１、ＲＦ透過パイプ１０２、温調ガスパイプ１１３それぞれは上下方向に外せる構造となっている。超電導プローブ１０３を交換するときは、試験管ガイドパイプ１０１を上に引き抜き、温調ガスパイプ１１３を下に引き抜き、ＲＦ透過パイプ１０２ごと超電導プローブ１０３を横方向に引き抜いて取り替える。
【００１９】
超音波モータ２００は、試験管ガイドパイプ１０１の上部からモータ吊り下げロープ２１１により試験管ガイドパイプ１０１の内径が狭くなる部分に置かれる。試験管１を保持した超音波モータ２００は、分析終了後は、モータ吊り下げロープ２１１により引き上げることができる。
【００２０】
図２は試験管ガイドパイプ１０１の上部から見た平面図であり、超音波モータが挿入されていない状態である。試験管ガイドパイプ１０１にはモータ側ガイド２０７が通る４個のモータガイド溝１０６が設けられている。ステータ２０３などがモータガイド溝１０６に固定されており、ロータ２０３と回転パイプ２１０が回転し、これにより試験管１が回転する構造となっている。
【００２１】
図３は、本発明のＮＭＲ分析装置の全体構成を示し、スプリット型超電導磁石を用いたＮＭＲ分析装置である。超電導磁石２１は、左右のトロイダルコイルに分かれている。水平方向からプローブ冷却機構２３を通して、超電導プローブコイル１０３を磁石中心に配置している。分析のためのＲＦ信号の送受信と分析は、超電導マグネット２１の中央にある超電導プローブコイル１０３とＲＦ信号処理装置２４により行なわれる。超電導マグネット２１は、超電導マグネット筐体２０に収納され、超電導マグネット制御器（図示なし）により、温度管理がなされる構成である。
【００２２】
分離しておかれた超電導マグネット２１の中央には、上方から試験管ガイドパイプ１０１が挿入され、下方から温調ガスパイプ１１３が挿入されている。超電導マグネット２１の中心にはＲＦ透過パイプ１０２が存在する。上部から挿入する試験管１の回転数制御は、試験管回転数制御器２６が実施し、下部からの温調ガス１０４の温度制御はガス温度制御器２５で実施する。
【００２３】
試験管回転機構は、試験管を数十Ｈｚで回転させるのが主要な機能であるが、他に要求される機能として、試験管ガイドパイプ１０１から試験管の出し入れが簡単にできる点にある。
【００２４】
従来のガスによる回転方式は、試験管を浮かして固定部に直接接触させないようにしてガスによる回転駆動力が小さくても済むようにしていた。しかし、温調ガス量を増やしても試験管が浮き上がらないようにするためには、浮上を止めるストッパが必要となる。この場合、ストッパと回転部の接触により摩擦が増えるため、ガスによる駆動力を増大させる必要がある。また、狭隘部にガス流路を配置せざるを得ないため、流路での圧損が増え、シールの耐圧強化、引き回すパイプを強度の高いものにするなどの変更が必要となるという問題がある。また、ストッパを配置すると、試験管１の出し入れがしにくく、使い勝手も悪くなる。
【００２５】
そこで、本発明においては、制約の少ない超音波モータ２００を使用して、浮上の問題は超音波モータ２００の重さで対処すると共に、出し入れのし易さを損なわない図１の構成をとっている。
【００２６】
回転機構部に要求される機能として、試験管に収納した試料９を、容易にプローブ部に配置でき、回転制御可能で、プローブ部からの取出しも容易であることがあげられる。
【００２７】
一般的なモータや超音波モータは、モータのロータ軸と回転対象の回転軸とをカップリングで結合する場合や、ギヤ、ベルトなどを介して結合することが多い。単に試験管を回転するのであれば、ロータ軸と試験管をカップリングで接続すれば良いが、芯出しが難しくなるという問題がある。また、ギヤ、ベルトなどを介して結合する場合、狭い空間に挿入しずらく、試験管の出し入れが容易にできないことが多い。
【００２８】
この点を解決するために、本発明では、あらかじめ回転ブレがないように製作したロータと一体化した回転パイプ２１０を用い、回転パイプ２１０の中に試験管１を収納するようにしたことで、芯出しの問題を解決する。また、回転パイプ２１０の長さを長尺とすることで、試験管は回転パイプ２１０の壁と平行に配置されることになり、傾かない。つまり、回転パイプ２１０に収納することで、自然に芯出しができることとなる。
【００２９】
また、回転パイプ２１０を介して超音波モータ２００と試験管１を一体化して扱えるようにしたため、試料９のプローブ部への配置および取り出しも容易になっている。さらに、試験管１を回転パイプ２１０に容易に挿入できるように、Ｏリング２０８，２０９を２箇所に配置した。
【００３０】
ここで使用している超音波モータは、文献に示される（伊勢：「超音波モータ」、日本音響学会誌、４３巻３号（1987）、ｐｐ．１８４−１８８）一般的な進行波型のモータで、その中央に回転パイプ２１０を配置したものである。圧電振動子２０３は、円周方向に半波長毎に分割し、交互に分極したものを使用している。ここでは正弦波の周波数を60ｋＨｚにして励振しているが、使用材料などにより最適な周波数は変わる。
【００３１】
図４に、振動子への高周波正弦波信号の印加の様相を示す。円環状振動子２０３の左半面を示す。振動子は半周期毎に分極方向を変えて配置しており、図の＋−は分極方向を示す。高周波電源２２１は正弦波を出力し、高周波電源２２２は高周波電源２２１より９０°進んだ正弦波を出力する。高周波電源２２１、２２２のアース側を振動子２０３の裏の電極に接続する。高周波電源２２１の信号側はマイナス分極に、高周波電源２２２はプラス分極部分に接続する。
【００３２】
これにより円環状の圧電素子２０３に進行波が発生して、圧電素子２０３に音響的に結合されているステータ上部ディスク２０２に進行波が伝わり、ステータ上部ディスク２０２に押し付けられているロータディスク２０４が進行波の進行方向と逆方向に回転する。
【００３３】
ステータ上部ディスク２０２とロータディスク２０４の摩擦力により回転力が伝播されるためである。ロータディスク２０４には回転パイプ２１０が接合されており、ロータディスク２０４と同様に回転する。試験管１は回転パイプ２１０にＯリングを介して保持されているため、試験管１もロータディスク２０４と同期して回転する。ベアリング２０５は、ステータ上部ディスク２０２とロータディスク２０４を押し付けても回転できるようにラジアルベアリングからなる。ステータ上部ディスク２０２とロータディスク２０４間に摩擦で十分に回転力が伝わるように、押さえ板２０６で上から加圧している。
【００３４】
超音波モータ２００は、圧電素子２０３をわずかに変位させ、その僅かの変位をステータ上部ディスク２０２に伝えて、摩擦によりロータディスク２０４を移動させる。このため、圧電素子の変位の大きさが結果的にロータディスク２０４の回転数の速さとなる。つまり、ロータの回転数の制御は、圧電素子に印加する正弦波の振幅を変化させることで行う。このほか、正弦波の周波数もロータの回転数に影響する。また、ステータ上部ディスク２０２とロータディスク２０４間の押し付け力も影響するが、回転数制御の観点からは、振幅制御が最も容易である。
【００３５】
従来の回転機構がガス駆動である大きな理由は、ガスは磁場を乱さない特性を有しているためである。上記の超音波モータ２００で、ロータディスク２０４などの使用材料の選定によっては、磁場を乱す可能性がある。
【００３６】
本実施例では、磁場を乱すことを避けるため、超音波モータ２００の使用部品はすべて非磁性材で構成している。ステータ下部ディスク２０１、ステータ上部ディスク２０２、モータ側ガイド２０７、押さえ板２０６に燐青銅を用い、ロータディスク２０４、ベアリング２０５、回転パイプ２１０にはプラスチックを用い、Ｏリング２０８，２０９にはフッ素ゴム系の材料を用いる。
【００３７】
従来の回転機構がガス駆動である他の理由は、ガスの流れそのものからは電気的な雑音が発生しないためである。一方、超音波モータ２００を用いた場合、既に述べたように高周波電源２２１、２２２を用いるので、これが雑音源となる可能性は十分ある。
【００３８】
そこで、本発明においては、モータ電源線２１２をより線とすることで、モータ電源線２１２から放出する雑音を抑制する。また、モータ駆動を正弦波としているため、モータ駆動による雑音の周波数帯域は極めて狭く、帯域除去フィルタを用いることで除去できる。さらに、ＮＭＲ分析で対象とする周波数が数十ＭＨｚ以上であることから、超音波モータ使用による雑音の影響は小さい。
【００３９】
次に、使い勝手の点である。従来は試験管ガイドパイプ１０１の下からガスを送り、そこに試験管１を入れて、そのあと徐々にガス量を減らして試験管１の重力で所望の位置までゆっくりと下すようにしていた。取り出すときは、逆に下からのガス量を徐々に増やして試験管ガイドパイプ１０１の頂部まで移動させ、分析者がそれを回収するようにしていた。このため、取り出しガス量の操作を間違ったりすることで、試験管１が飛び出して破損につながることもあった。
【００４０】
本発明では、超音波モータを回転機構として使うので、モータ吊り下げロープ２１１を分析者が操作することで試験管１の出し入れが簡単にできる。このため、試験管１を破損する可能性も極めて少なくなる。
【００４１】
図５に温調ガス１０４の流量を増加させた場合の試料中の温度勾配減少の特性を示す。図１に示した試験管１の超電導プローブコイル１０３付近の温度勾配を測定した結果である。試験管中に微小な温度センサを挿入し、測定のために試験管１を回転させないで測定した。測定時の温調ガス流量が最小の時の値を基準にしてプロットしたものである。ガス流量を４倍にすることで温度勾配が１／１０以下となっていることがわかる。このことから、ガス流量を増加させる本発明の温度勾配抑制効果が極めて高いことがわかる。
【００４２】
実施例１の説明においては、スプリット型のＮＭＲ分析装置について説明したが、本発明は、従来の単一型マグネットを利用したＮＭＲ分析装置でも適用可能である。また、例えば回転パイプ２１０の使用材料としてプラスチックを用いているが、アルミニューム、燐青銅などの非磁性材の使用も可能である。その他の、超音波モータ部品も、同様である。
【００４３】
本実施例特有の効果として、従来方式に比べて試験管回転のための複雑な流路の確保が不要となり、試料管理装置の簡素化が図れるようになり、経済性向上効果がある。また、試験管の出し入れで複雑な手順を踏まなくても、単に分析者が試験管１の出し入れをロープの操作で行えるので、重要試料を試験管１の破損で失うようなことがなくなり、経済性向上の効果がある。また、試験管を超音波モータが支える構造としているため、温調ガス流量が増えても試験管の振動は、試験管を浮かせている従来のガス式回転機構に比べて抑制でき、ＮＭＲ分析装置の性能向上の効果がある。さらに、超音波モータはガス方式の駆動機構に比べて駆動力が大きいため、従来問題となっていた試験管の汚れや僅かの変形で回転が不安定になることがないため、試料管理装置性能向上の効果がある。従来のガス流路の汚れによる駆動力の変化が生じないため、安定した回転機能が確保できる点で、試料管理装置性能向上の効果がある。また、ＲＦ透過パイプ部にヒータをおかないため、ピーク温度が小さく、輻射による低温部への熱流入が少なく、超電導確保のため冷却部への熱浸入を小さくでき、経済性向上効果がある。
【００４４】
本実施例では、超電導プローブについて説明したが、常温プローブを用いた場合でも、温調ガス流量を増やすことで、温度勾配の抑制は可能である。
【実施例２】
【００４５】
図６は、本発明の実施例２によるＮＭＲ分析装置の試料管理装置である。例えば、特開２００３−１３０９３７号公報に示されるスプリット磁石を用いたＮＭＲ分析装置に適用した例である。
【００４６】
図６は、実施例１の図１と９０°違った角度の断面図である。スプリット型磁石は、図３に示すように試験管を挟んで左右に近接して配置されているが、手前および奥行き方向には狭い間隙があり、この間隙に温調ガスの流路を配置している。
【００４７】
実施例１との違いは温調ガスの流路を上に持ってきたことである。温調ガス１０４は温調ガスパイプ１１４をとおり、ヒータ１１２で加熱され、温度センサ１１１の設置点を通り、試験管ガイドパイプ１０１の内部に達し、ＲＦ透過パイプ１０２の底部から出口温調ガス１０５として排出する。
【００４８】
図７は、試験管ガイドパイプ１０１の平面図である。図２との違いは、モータガイド溝１０６を４個から２個に減らした点である。また、温調ガスパイプ１１４を試験管ガイドパイプ１０１の外壁に取り付けた点である。
【００４９】
強い静磁場を発生する超電導磁石は試料に近接して配置するほど試料近傍の磁場は大きくなる。このため、試験管の周囲には極力部品を配置しないように設計される。しかし、スプリット磁石方式の場合、図３を参照して方向を示す場合、試験管の左右に磁石が配置されるが、前後には磁石のない空間が存在する。この空間に図６に示すように温調ガスパイプ１１４を配置する。磁石のない空間も超電導磁石２１の冷却部への熱侵入量が増えないような断熱構造となっているが、温調ガスパイプ１１４を配置することは可能である。モータガイド溝を２個としても超音波モータ２００のステータの回転を止めることはできるので機能上は問題がない。また、温調ガスパイプ１１４を試験管ガイドパイプ１０１の外壁に取り付けてあるため、超電導プローブ１０３を交換のとき、試験管ガイドパイプ１０１と温調ガスパイプ１１４と同時に引き抜けば、即ち、超電導プローブコイル１０３を外すことができるようになる。
【００５０】
本実施例においては、温調ガスパイプ１１４を試験管ガイドパイプ１０１の片側にだけ取り付ける場合を示した。非磁性材料といえども、磁場分布に全く影響を与えないわけではないので、試験管ガイドパイプ１０１の両側に温調ガスパイプ１１４を取り付けた方がよい。これにより、磁場の歪が左右対称となり、図に示していないシムコイルによる磁場調整が容易になる。本発明は、上部に温調ガスパイプ１１４を備えることを主張しているのであって、その数を限定するものではない。
【００５１】
本実施例特有の効果として、温調ガスパイプ１１４を試験管ガイドパイプ１０１の外壁に取り付けてあるので、超電導プローブコイル１０３の交換時に温調系も同時に外せる。このため、交換作業量が減り、使い勝手および作業性の向上の効果がある。また、実施例１で示した下の温調ガスパイプ導入孔を用いていないので、この導入孔に光を通して、光導入時の試料の分析ができるようになり、ＮＭＲ分析装置に新たな分析機能が追加でき、ＮＭＲ分析装置の性能向上の効果がある。
【図面の簡単な説明】
【００５２】
【図１】本発明の実施例１によるＮＭＲ分析装置の試料管理機構の構造図。
【図２】実施例１の試験管ガイドパイプの平面図。
【図３】スプリット型マグネットによるＮＭＲ分析装置の全体構成図。
【図４】超音波モータの駆動方式を示す圧電振動子の駆動電源接続図。
【図５】試料中の温度勾配と流量の関係を示す特性図。
【図６】本発明の実施例２によるＮＭＲ分析装置の試料管理機構の構造図。
【図７】実施例２の試験管ガイドパイプの平面図。
【符号の説明】
【００５３】
１…試験管、９…試料、２０…超電導マグネット筐体、２１…超電導マグネット、２３…プローブ冷却機構、２４…ＲＦ信号処理装置、２５…ガス温度制御器、２６…試験管回転制御器、１０１…試験管ガイドパイプ、１０２…ＲＦ透過パイプ、１０３…超電導プローブコイル、１０４…入口温調ガス、１０５…出口温調ガス、１１３，１１４…温調ガスパイプ、２００…超音波モータ、２０１…下部ステータディスク、２０２…上部ステータディスク、２０３…圧電素子、２０４…ロータディスク、２０５…ベアリング、２０７…モータ側ガイド、２１０…回転パイプ、２１１…モータ吊下ロープ、２１２…モータ電源線。
【図１】
0004641250.tif 000002
【図２】
0004641250.tif 000003
【図３】
0004641250.tif 000004
【図４】
0004641250.tif 000005
【図５】
0004641250.tif 000006
【図６】
0004641250.tif 000007
【図７】
0004641250.tif 000008